(57)【要約】【目的】  記録媒体に記録した情報を再生するのに使用する管理情報が記録面に生じた障害によって再生できなるなることを最小限抑えられるようにする。【構成】  光ディスク上の円周に沿って１２０度の間隔を置いた３ヶ所の各ファイル情報記録箇所７０〜７２を設定し、情報記録再生装置のコントローラの処理により、映像関連情報の記録時、各ファイル情報記録箇所７０〜７２に同じファイル情報を記録する。  このようにすれば、光ディスク上に指紋７３が付着したり、傷７４，７５が生じた場合、傷７４によってファイル情報記録箇所７１のファイル情報は再生できなくても、他のファイル情報記録箇所７０，７２から同じ内容のファイル情報を再生することができる。【選択図】        図６
2006185561.tif 000002
【特許請求の範囲】
【請求項１】
記録媒体に対する情報の記録と再生を行う記録再生手段を備えた情報記録再生装置において、
前記記録媒体に情報を記録するとき、前記情報を再生するのに用いる管理情報を前記記録媒体の複数箇所に再生可能に記録する管理情報記録手段を設けたことを特徴とする情報記録再生装置。
【請求項２】
前記管理情報記録手段は、前記記録媒体に情報を記録するとき、前記情報を再生するのに用いる管理情報を前記記録媒体上の分散した複数箇所に再生可能に記録する手段であることを特徴とする請求項１記載の情報記録再生装置。
【請求項３】
前記記録媒体上の分散した複数箇所は、前記記録媒体上の同一トラック上の円周に沿って等間隔を置いて配置した箇所であることを特徴とする請求項２記載の情報記録再生装置。
【請求項４】
前記記録媒体上の分散した複数箇所は、前記記録媒体の内周側から外周側に向かって離れた複数のトラック上に配置した箇所であることを特徴とする請求項２記載の情報記録再生装置。
【請求項５】
前記記録媒体上の分散した複数箇所は、前記記録媒体の内周側から外周側に向かって離れた複数のトラック上にそれぞれ円周に沿って等間隔を置いて配置した箇所であることを特徴とする請求項２記載の情報記録再生装置。
【請求項６】
請求項１乃至５のいずれか一項に記載の情報記録再生装置を接続し、前記情報記録再生装置の前記記録再生手段と前記管理情報記録手段を制御する手段を備えたことを特徴とする制御装置。
【発明の詳細な説明】
【技術分野】
【０００１】
この発明は、光ディスク（ＣＤ−Ｒディスク，ＣＤ−ＲＷディスク，ＤＶＤ−Ｒディスク，ＤＶＤ−ＲＷディスク，ＤＶＤ−ＲＡＭディスク，ＤＶＤ＋ＲＷディスク，ＤＶＤ＋Ｒディスク）、光磁気ディスク（ＭＯ・ＭＤ）、磁気ディスク（ＨＤ・ＦＤ）等の記録媒体に、動画像データ、静止画データ、まとまった量のテキストデータ（ログ）などの時系列のコンテンツデータ等の情報とその情報の再生に用いる管理情報とを記録するビデオレコーダ、ビデオカムコーダ、デジタル編集装置、ノンリニア編集装置、デジタルカメラ、ゲームコンソール、ＤＶＤプレイヤ、光ディスク装置等の情報記録再生装置とその情報記録再生装置を制御するパーソナルコンピュータ等の制御装置とに関する。
【背景技術】
【０００２】
従来、光ディスク等の記録媒体に対する情報の記録又は再生を行う情報記録再生装置（例えば、特許文献１〜１１参照）があった。
例えば、光ディスク装置には、光ディスクに指紋が付着したり傷があったり汚れていたりして記録面が正常に読み取れない場合、記録面の所定部分に代替エリアを設け、上記読み取れない位置に記録すべきデータを代替エリアに記録し、再生の際には代替エリアのデータを読み取り、その読み取ったデータに対する誤り訂正を行う技術があった。
しかし、光ディスクを映像情報の記録先に使う場合、上述の誤り訂正技術は実際の映像記録には使われない場合が多い。
これは人間の眼は微小な映像雑音には反応しない為、それらの映像雑音によるエラーは読み飛ばしても実際の再生映像では問題になる事が少ない為である。
【０００３】
ところが、このような映像情報を記録した記録媒体であっても記録されているファイルがどのようなものであり、何処に記録されているのか、記録媒体の何処から記録し始めて何処で完了しているのかといった管理情報を記録媒体の上に記録して再生時の利便を図っている部分があり、その部分でエラーが発生して映像と同じように読み飛ばされてしまうと、システム上大きな不具合を生じることになる。
【特許文献１】特開２００３−２１８９８２号公報
【特許文献２】特開２００４−０３０７８８号公報
【特許文献３】特開２０００−０７６７８５号公報
【特許文献４】特開２０００−３３０８７０号公報
【特許文献５】特開２０００−０９９０４６号公報
【特許文献６】特開２０００−００３３１０号公報
【特許文献７】特開平１１−１７６１０５号公報
【特許文献８】特開平１１−１７６１０３号公報
【特許文献９】特開平１１−１６２１１９号公報
【特許文献１０】特開平１１−０９６６８５号公報
【発明の開示】
【発明が解決しようとする課題】
【０００４】
しかしながら、従来の情報記録再生装置では、光ディスクに記録した情報を再生するのに用いる管理情報が再生できないと光ディスクそのものが再生不能に陥って折角記録した映像情報を失ってしまうという問題があった。
その上、光ディスクへの記録時には再生確認が行われていない場合が多い為に、時間を置いて再生する時に判明する事が多く、その場でエラーを認識することができない。
特にワンタイムライトの記録媒体の場合は一度の記録しか許されない為、管理情報が記録できなかった場合には、記録した媒体は無駄になる事が多い。
この発明は上記の点に鑑みてなされたものであり、記録媒体に記録した情報を再生するのに使用する管理情報が記録面に生じた障害によって再生できなるなることを最小限抑えられるようにすることを目的とする。
【課題を解決するための手段】
【０００５】
この発明は上記の目的を達成するため、次の情報記録再生装置と制御装置を提供する。
（１）記録媒体に対する情報の記録と再生を行う記録再生手段を備えた情報記録再生装置において、上記記録媒体に情報を記録するとき、上記情報を再生するのに用いる管理情報を上記記録媒体の複数箇所に再生可能に記録する管理情報記録手段を設けた情報記録再生装置。
（２）上記（１）の情報記録再生装置において、上記管理情報記録手段を、上記記録媒体に情報を記録するとき、上記情報を再生するのに用いる管理情報を上記記録媒体上の分散した複数箇所に再生可能に記録する手段にした情報記録再生装置。
【０００６】
（３）上記（２）の情報記録再生装置において、上記記録媒体上の分散した複数箇所を、上記記録媒体上の同一トラック上の円周に沿って等間隔を置いて配置した箇所にした情報記録再生装置。
（４）上記（２）の情報記録再生装置において、上記記録媒体上の分散した複数箇所を、上記記録媒体の内周側から外周側に向かって離れた複数のトラック上に配置した箇所にした情報記録再生装置。
（５）上記（２）の情報記録再生装置において、上記記録媒体上の分散した複数箇所を、上記記録媒体の内周側から外周側に向かって離れた複数のトラック上にそれぞれ円周に沿って等間隔を置いて配置した箇所にした情報記録再生装置。
（６）上記（１）〜（５）のいずれかの情報記録再生装置を接続し、上記情報記録再生装置の上記記録再生手段と上記管理情報記録手段を制御する手段を備えた制御装置。
【発明の効果】
【０００７】
この発明による情報記録再生装置と制御装置は、記録媒体に記録した情報を再生するのに使用する管理情報が記録面に生じた障害によって再生できなるなることを最小限抑えられるようにすることができる。
【発明を実施するための最良の形態】
【０００８】
以下、この発明を実施するための最良の形態を図面に基づいて具体的に説明する。
図１は、この発明の一実施形態であるビデオ装置の構成を示すブロック図である。
このビデオ装置は、ＣＤ−ＲＯＭディスク，ＣＤ−Ｒディスク，ＣＤ−ＲＷディスク，ＤＶＤ−ＲＯＭディスク，ＤＶＤ−Ｒディスク，ＤＶＤ−ＲＷディスク，ＤＶＤ−ＲＡＭディスク，ＤＶＤ＋ＲＷディスク，ＤＶＤ＋Ｒディスク等のデータ記録又は再生が可能な光ディスク（記録媒体）１に対する映像情報，文字情報の少なくとも一つを含むデータの記録又は再生を行うＣＤ系ドライブ，ＤＶＤ系ドライブ等の情報記録再生装置２と、その情報記録再生装置２と外部インタフェース４９を介してデータ通信可能に接続し、情報記録再生装置２に対するデータの記録又は再生の制御を行うビデオ制御装置３とからなる情報記録再生システムである。
【０００９】
情報記録再生装置２は、光ディスク１を回転させるスピンドルモータ２０と、そのスピンドルモータ２０の回転を制御する回転制御系部２３と、光ディスク１にデータ記録又は再生のためのレーザ光Ｌを照射する光ピックアップ２１を備えている。
また、その光ピックアップ２１によるレーザ光Ｌの発光駆動等の制御を行う光ピックアップ制御系部２５と、光ピックアップ２１を光ディスク１の半径方向に移動させる粗動モータ２２と、その粗動モータ２２の回転駆動制御を行う粗動モータ制御系部２４と、光ピックアップ２１からの再生信号と光ピックアップ２１への記録信号の入出力を制御する信号処理系部２６と、光ディスク１に記録するデータ及び光ディスク１から再生したデータ等のデータを一時的に格納すると共に、コントローラ２９が各種の処理を実行する際にデータを一時的に記憶する領域として利用するバッファメモリ２８とを備えている。
【００１０】
さらに、ＲＯＭであるプログラムメモリ４にこの情報記録再生装置２で実行させるための手順からなるプログラムを記憶し（同一光ディスクが情報記録再生装置２内にマウントされている場合、その光ディスク特有のパラメータ（記録アドレス等）も一部に蓄えられる）、ＣＰＵによって実現されるコントローラ２９がＲＡＭである不揮発性メモリ２７を作業領域としてプログラムメモリ４に記憶されたプログラムの各手順を実行することによってこの情報記録再生装置２の全体の制御を司る。すなわち、このコントローラ２９が、この発明に係る記録再生手段と、管理情報記録手段の機能を果たす。
【００１１】
一方、ビデオ制御装置３は、アナログデジタル（Ａ／Ｄ）変換部４０による外部からの映像信号のＡＤ変換（ＴＶ・アンテナからの入力に相当、また、図示を省略するがＣＡＴＶ，インターネット，ネットワークからの入力にしてもよい）、エンコーダ（Ｅｎｃｏｄｅｒ）・デコーダ（Ｄｅｃｏｄｅｒ）４３による圧縮・展開、デジタルアナログ（Ｄ／Ａ）変換部４１においてＰＡＬ／ＮＴＳＣビデオエンコーダによるＤＡ変換（ＴＶへの出力に相当、また、図示を省略するがＣＲＴ，ＬＣＤ等の表示装置にしてもよい）などを行っている。さらに、キーボード、マウスの入力部３０を有し、操作受信部４４が入力部３０から操作情報をＣＰＵ４７へ伝える。
また、ＲＴＣ（リアルタイムクロック）・タイマ（Ｔｉｍｅｒ）４８を有し、データの記録時間を計測したり、実時刻を明らかにすることで、データ記録又は再生に使用することができる。さらに、ＡＴＡ／ＡＴＡＰＩインタフェース（Ｉ／Ｆ）４２を備え、情報記録再生装置２との通信を行う。
【００１２】
さらに、ＣＰＵ４７，ＲＯＭ４５，ＲＡＭ４６を持ち、ＲＡＭ４６はワークメモリやデータのバッファに使用され、ＲＯＭ４５にはビデオ制御装置３の全体をコントロールするプログラムを格納する。そして、ＣＰＵ４７がそのプログラムを実行することによって、情報記録再生装置２の制御を行う。
上記ＲＯＭ４５はマスクＲＯＭでもよいがまとめて書き換えができる不揮発性であるフラッシュ（Ｆｌｕｓｈ）ＲＯＭにすると、バージョンアップ時の手間を軽減できる。
また、メモリカードコントローラ（Ｍｅｍｏｒｙ  Ｃａｒｄ  Ｃｏｎｔｒｏｌｌｅｒ）３２を備え、メモリカードスロット５０にメモリカード（Ｍｅｍｏｒｙ  Ｃａｒｄ）３１を挿着してデジタルカメラ画像などの入力元としたり、データの記録先とすることもできる。メモリカード３１は着脱式のフラッシュＲＯＭで構成されていることが多く、ＰＣのみならず様々なデバイスとのデジタルデータの受け渡しにも利用できる。
【００１３】
このビデオ制御装置３は、ＣＰＵ４７の制御により、Ａ／Ｄ変換部４０によってデータを入力し、エンコーダ・デコーダ４３でそのデータを圧縮処理し、その圧縮処理されたデータはＲＡＭ４６に格納する。そして、ＣＰＵ４７は、ＲＡＭ４６に蓄えたデータを情報記録再生装置２へ送り、情報記録再生装置２のコントローラ２９はビデオ制御装置３から受信したデータを光ディスク１に記録する。
また、ＣＰＵ４７は、情報記録再生装置２に対して再生指示を送り、情報記録再生装置２のコントローラ２９は光ディスク１に記録されたデータを再生してバッファメモリ２８に一時的に格納して外部インタフェース４９を介してビデオ制御装置３へ送信する。
【００１４】
次に、このビデオ装置における映像情報（ビデオデータ）、音声情報（音声データ）、ファイル情報を含む映像関連情報を記録する処理について説明する。
この処理については、ビデオ制御装置３がＴＶ又はアンテナから受信した映像関連情報をＡ／Ｄ変換部４０を通してエンコーダ・デコーダ４３で圧縮処理した後に外部インタフェース４９を通して情報記録再生装置２に送ってくる部分から行う。
【００１５】
図２は、図１に示したビデオ装置においてこの発明の参考となる映像関連情報を光ディスクに記録していくときの手順を示すフローチャート図である。
図３は、図２に示した処理によって光ディスクに映像関連情報を記録するときのフォーマットを示す図である。
図２に示すように、ビデオ記録開始の処理が始まると、まず最初にマウントされている光ディスクに必要な情報を記録してビデオ情報の記録準備を行う。ステップ（図中「Ｓ」で示す）１でビデオデータゾーン（Ｖｉｄｅｏ  Ｄａｔａ  Ｚｏｎｅ）以外のファイル（Ｆｉｌｅ）情報を記録し、ステップ２でビデオデータゾーン（Ｖｉｄｅｏ  Ｄａｔａ  Ｚｏｎｅ）内のファイル情報を記録する。
【００１６】
ステップ３でビデオデータ（音声データも含む）を記録し、ステップ４でビデオデータ（音声データも含む）の記録を終了すると、ステップ５でビデオデータゾーンの内外の双方にファイル情報を記録し、ステップ６でビデオデータ（音声データも含む）の記録を終了すると、ステップ７でタイトル記録等の臨時記録終了処理をする。
ステップ８で記録終了処理を行うか否かを判断し、記録終了処理を行わないなら、臨時処理を終了し、記録終了処理を行うなら、ステップ９で臨時記録終了時の記録情報を収集し、ステップ１０でビデオデータゾーンの内外の双方にファイル情報を記録し、光ディスクへの記録を終えて映像記録メディアを完成させる。
【００１７】
光ディスク上に映像関連情報を記録する場合、図３に示すようなフォーマットに従って記録しなければ、記録した映像関連情報を他の再生装置で再生することができなくなる。
図３に示すように、映像関連情報を再生又は記録する時には、光ディスク上のリードイン領域（Ｌｅａｄ  ｉｎ）で示される部分を捉え、次にビデオラム（ＶＲＭ）と呼ばれている部分を読み取る。そのビデオラムには光ディスクの種類、データが記録されている場所、コピープロテクションを含む情報が記録されている。
光ディスクの全体のフォーマットは、リードイン領域で始まりリードアウト領域（Ｌｅａｄ  ｏｕｔ）で終結するようにしている。そのリードイン領域とリードアウト領域で囲まれた内部のビデオデータゾーンに記録映像１，２，……が記録される。
【００１８】
例えば、記録映像１は、映像情報、ビデオ記録１、映像情報バックアップからなる。
映像情報は、映像関連情報を再生するのに用いる管理情報であるファイル（Ｆｉｌｅ）情報である。そのファイル情報とは、例えば、ビデオ記録のタイトル名である。
ビデオ記録は、ビデオデータ及び音声データからなる映像関連情報である。この映像関連情報がビデオ制御装置３で圧縮されて送られてきたデータである。
映像情報バックアップは、映像情報に最初に書かれたファイル情報のバックアップデータであり、記録映像領域の末尾に記録される。
記録映像２も記録映像１と内部構成は同じである。
ビデオ記録は光ディスク１枚に一本とは限らず何本でも光ディスクの容量分だけ格納される。図３には２本分（記録映像１，２）の領域だけ示した。
【００１９】
このようにして、映像関連情報の記録が終了すると、光ディスクとして、一般の再生装置でも再生できるように、ＶＲＭに再度記録された内容をファイル記録としてＶＲＭとビデオラムバックアップ（ＶＲＭ  Ｂａｃｋ  ｕｐ）の部分に記録し、最後にリードアウト領域を記録して全作業は完了する。
実際には、ビデオ記録は１回ばかりでなく時間を置いて何回か行われる為に、以前まで記録していたファイル情報を光ディスク上に書いておかねば、光ディスクを取り出された場合に以前のファイル情報が喪失してしまう。
それを避ける為に、光ディスク上に一時的に先ほど述べたファイル情報を記録しておき、最後の時にそのファイル情報を取り出して、全ファイル情報を完全に記録する。こうして、完全な情報になったファイル情報をＶＲＡＭ中に記録する。
【００２０】
上述した処理において注目しなければならないのは、一度記録したデータを再び再生して一致しているか否かの確認がなされていないことである。一般的なビデオ装置の場合そのような処理は行っていない。
したがって、再生できない場合にはリトライ処理を行うことが望ましい。しかし、それでも再生できないと、その光ディスクは再生不可能なメディアになり、記録された映像関連情報を失ってしまうことになる。
【００２１】
上述のように、光ディスクに映像関連情報と、その映像関連記録のファイル情報を記録するが、映像関連情報についてはデータに少々の欠損があっても、実用上視覚に影響しない程度の欠損から生じる再生エラーは無視されることが多い。
しかし、映像関連情報のファイル情報に再生エラーが発生（再生エラー発生の種々の原因の内、記録面への指紋、傷、汚れ等が付着して記録されたデータが読み取れない原因が一番多い）すると、映像関連情報のファイルデータそのものがビデオ制御装置３側で認知することができないため、再生不能になってしまう。また、場合によっては取り返しがつかない情報の欠損にもなりかねない。
そこで、この実施形態のビデオ装置では、光ディスクに映像関連情報を記録する際、光ディスクの複数箇所に映像関連情報の管理情報であるファイル情報を記録する。
そのようにすれば、そのうちの一つでも再生できればファイル記録はビデオ制御装置側に認知されて再生可能な状態になる。
【００２２】
図４は、図１に示したビデオ装置においてこの発明に係る映像関連情報を光ディスクに記録していくときの手順を示すフローチャート図である。
図５は、図４に示した処理によって光ディスクに映像関連情報を記録するときのフォーマットを示す図である。
【００２３】
コントローラ２９は、ステップ（図中「Ｓ」で示す）２１で光ディスクに対してファイル情報の記録箇所を複数箇所設定し、ステップ２２でビデオデータゾーン以外のファイル情報を記録し、ステップ２３で予め設定した複数箇所に同じファイル情報を記録し、ステップ２４でビデオデータゾーン内のファイル情報を記録し、ステップ２５で予め設定した複数箇所に同じファイル情報を記録し、ステップ２６でビデオデータ（音声データも含む）を記録し、ステップ２７でビデオデータの記録を終了すると、ステップ２８でビデオデータゾーンの内外の双方にファイル情報を記録し、ステップ２９で予め設定した複数箇所にファイル情報を記録し、ステップ３０でビデオデータの記録を終了すると、ステップ３１でタイトル記録等の臨時記録終了処理をする。
【００２４】
ステップ３２で記録終了処理を行うか否かを判断し、記録終了処理を行わないなら、臨時処理を終了し、記録終了処理を行うなら、ステップ３３で臨時記録終了時の記録情報を収集し、ステップ３４で読み取りエラーが発生してリトライで回復せずか否かを判断し、読み取りエラーでないとき、読み取りエラーでもリトライで回復したとき、ステップ３５でビデオデータゾーンの内外の双方にファイル情報を記録し、光ディスクへの記録を終えて映像記録メディアを完成させる。
ステップ３４の判断で読み取りエラーが発生してリトライで回復しなかったとき、ステップ３６で予め設定した複数箇所の中から同じファイル情報を読み取り、ステップ３７で読み取りエラーが発生してリトライで回復せずか否かを判断し、読み取りエラーでないとき、読み取りエラーでもリトライで回復したとき、ステップ３５でビデオデータゾーンの内外の双方にファイル情報を記録し、光ディスクへの記録を終えて映像記録メディアを完成させる。
【００２５】
ステップ３７の判断で読み取りエラーが発生してリトライで回復しなかったとき、ステップ３８で全設定箇所に記録された同じファイル情報の読み取りを試したか否かを判断し、試したなら回復不能エラー処理を実行する。
ステップ３８の判断で全設定箇所に記録された同じファイル情報の読み取りを試していなければ、ステップ３６へ進んで上述の処理を繰り返す。
【００２６】
この処理では、光ディスク１に映像関連情報を記録するとき、その映像関連情報を再生するのに用いる管理情報を光ディスク１の予め設定した複数箇所に再生可能に記録する管理情報記録処理を行う。
まず、記録に当って光ディスク１上にファイル情報記録箇所を複数設定する。
例えば、図５の映像情報領域６０、映像情報バックアップ領域６１、ビデオラムバックアップ領域とリードアウト領域の間の空き領域６２のいずれかをファイル情報記録箇所にする。以後設定が必要なたびに上記設定された場所に準じて記録していく。
なお、ファイル情報のファイル構造は従来のファイル情報の構造と全く同じにしておかねばならない。
【００２７】
このようにして、ファイル情報を光ディスク１の複数箇所に記録することにより、再生の際に何らかの事情で１つのファイル情報を読めなくても、他の複数箇所から正常に読めるファイル情報を読み出し、そのファイル情報に基づいて映像関連情報を再生することができる。よって、光ディスク上の複数箇所にファイル情報を記録することにより、光ディスク取り扱いからくる汚れや傷等が原因となり再生できないと言った不都合からも逃れやすくなり、従来折角記録した光ディスクが使えなくなると言う不具合の低減が可能になる。
【００２８】
次に、上述の処理でファイル情報記録箇所を何処に設定するかは、効果に多大な影響を及ぼすので、光ディスク１の特定の場所に偏らないように場所を選択するとよい。
まず、上記管理情報記録処理を、光ディスク１に映像関連情報を記録するとき、その映像関連情報を再生するのに用いる管理情報であるファイル情報を光ディスク１上の分散した複数箇所に再生可能に記録する処理にすると良い。
【００２９】
光ディスク１上の汚れ、指紋、傷等はディスク上の全面につくことは稀であることから全面に分散して記録されていれば、その全てが同時に読めなくなることは非常に少なくなる。少なくても１箇所読むことができれば、目的の情報を得ることができる。
このようにして、複数箇所に記録するとしても、それが近傍に記録されたのでは効果が期待できないので、光ディスク全面に分散して記録することによってファイル情報の再生の可能性をより高めることができる。
【００３０】
次に、光ディスクにファイル情報を分散して記録する際の分散処理について述べる。
まず、光ディスクの円周面に沿って角度を持たせて記録する。
つまり、光ディスク１上の分散した複数のファイル情報記録箇所を、光ディスク１上の同一トラック上の円周に沿って等間隔を置いて配置した箇所にするとよい。
例えば、３箇所ならば約１２０度の角度を置いて記録場所を配置する。また、４箇所ならば９０度毎に配置する。このように、光ディスク上の全面にできるだけ広く分散させるとよい。
【００３１】
図６及び図７は、ファイル情報記録箇所を光ディスク１上の同一トラック上の円周に沿って等間隔を置いて配置したときの各位置の説明図である。
図６に示すように、光ディスク上の円周に沿って１２０度の間隔を置いた３ヶ所の各ファイル情報記録箇所７０〜７２を設定する。
このようにすれば、光ディスク上に指紋７３が付着したり、傷７４，７５が生じた場合、傷７４によってファイル情報記録箇所７１のファイル情報は再生できなくても、他のファイル情報記録箇所７０，７２から同じ内容のファイル情報を再生することができる。
【００３２】
また、図７に示すように、光ディスク上の円周に沿って９０度の間隔を置いた４ヶ所の各ファイル情報記録箇所８０〜８３を設定する。
このようにすれば、光ディスク上に指紋８４が付着したり、傷８５，８６が生じた場合、傷８５によってファイル情報記録箇所８１のファイル情報は再生できなくても、他のファイル情報記録箇所８０，８２，８３から同じ内容のファイル情報を再生することができる。
【００３３】
なお、９０度の間隔で４箇所に書き込むとき、実際にファイル情報記録箇所を書き込む箇所を任意に選択するようにしてもよい。
このようにして、特に指紋傷等がつき易い場所は偏りやすいので、光ディスク上に満遍なく分散することにより、記録後のファイル情報を救うことができる記録箇所がでてくる確率が増え、プレイヤビリティをよくすることができる。
【００３４】
次に、光ディスクにファイル情報を分散して記録する際の他の分散処理について述べる。この分散処理では、円周に沿った分散ばかりでなく、内周側から外周側へ分散させる。
つまり、光ディスク１上の分散した複数のファイル情報記録箇所を、光ディスク１の内周側から外周側に向かって離れた複数のトラック上に配置した箇所にするとよい。
図８は、ファイル情報記録箇所を光ディスク１の内周側から外周側に向かって離れた複数のトラック上に配置したときの各位置の説明図である。
同図に示すように、光ディスク上の外周側のトラック上にファイル情報記録箇所９０を、内周側のトラック上にファイル情報記録箇所９１をそれぞれ配置することにより、指紋９２が付着したり、傷９３，９４が生じてもいずれか１つは再生できるようにすることができる。
【００３５】
このようにして、分散して記録する場所を光ディスクの近隣トラック円周上に置くのではなく、内周側から外周側に向かって離れたトラックに置くようにすれば、特に外周部と内周部は指紋の付き易い部分であるから、外周部と内周部に挟まれた内部に近いトラックに置けば、汚れが付き難い箇所であるから、汚れによって再生できなくなる可能性はより低くなる。
【００３６】
次に、光ディスクにファイル情報を分散して記録する際のまた他の分散処理について述べる。
上述した２種類の配置処理を組み合わせ、ファイル情報を光ディスク上の２次平面で一番効率的に分散して記録できるようにするとよい。
つまり、光ディスク１上の分散した複数のファイル情報記録箇所を、光ディスク１の内周側から外周側に向かって離れた複数のトラック上にそれぞれ円周に沿って等間隔を置いて配置するとよい。
図９は、ファイル情報記録箇所を光ディスク１の内周側から外周側に向かって離れた複数のトラック上にそれぞれ円周に沿って等間隔を置いて配置したときの各位置の説明図である。
【００３７】
同図に示すように、光ディスク上の外周側のトラック上にそれぞれ円周に沿って１８０度の等間隔を置いてファイル情報記録箇所１００，１０１を、内周側のトラック上にそれぞれ円周に沿って１８０度の等間隔を置いてファイル情報記録箇所１０２，１０３をそれぞれ配置することにより、指紋１０４が付着したり、傷１０５，１０６が生じてもいずれか１つは再生できるようにすることができる。
このようにして、光ディスク上のファイル情報記録箇所を２次元面に広げることにより、さらにプレイヤビリティを向上させることができる。
上述した角度を付けて分散する場合、書き込みトラックを変えて分散する場合、又は両方を組み合わせて行った場合でも、光ディスク上のアドレス計算によって配置箇所を簡単に求めることができる。
なお、この発明に係る情報記録再生装置を、リトライ機能を備えていない情報記録再生装置に適用する場合には、リトライなしで複数箇所を順次読み取ることになる。
【００３８】
次に、上述の実施形態ではビデオ制御装置３側の負担を極力減らすことを考慮し、情報記録再生装置２側で処理する場合について説明したが、本来、情報記録再生装置２はビデオ制御装置３側が発する命令通りに動作するのであるから、この発明に係る機能をビデオ制御装置３側に設けるようにしてもよい。
その場合、ビデオ制御装置３のＲＯＭ４５にこのビデオ制御装置３で実行させるための手順からなるプログラムを記憶し、ＣＰＵ４７によってＲＡＭ４６を作業領域としてすらＲＯＭ４５に記憶されたプログラムの各手順を実行することによってこのビデオ制御装置３の全体の制御を司る。すなわち、このＣＰＵ４７が、この発明に係る記録再生手段と、管理情報記録手段の機能を果たす。
このようにして、この発明に係る機能を実現するための実施先を増やすことにより、ビデオ装置の設計、生産の負荷が分散でき、生産性の向上に繋がる。
【産業上の利用可能性】
【００３９】
この発明による情報記録再生装置と制御装置は、光ディスクドライブ以外の他のドライブ、デスクトップパソコン，ノートブックパソコン等のパーソナルコンピュータにおいても適用することができる。
【図面の簡単な説明】
【００４０】
【図１】この発明の一実施形態であるビデオ装置の構成を示すブロック図である。
【図２】図１に示すビデオ装置においてこの発明の参考となる映像関連情報を光ディスクに記録していくときの手順を示すフローチャート図である。
【図３】図２に示す処理によって光ディスクに映像関連情報を記録するときのフォーマットを示す図である。
【図４】図１に示すビデオ装置においてこの発明に係る映像関連情報を光ディスクに記録していくときの手順を示すフローチャート図である。
【図５】図４に示す処理によって光ディスクに映像関連情報を記録するときのフォーマットを示す図である。
【００４１】
【図６】ファイル情報記録箇所を光ディスク１上の同一トラック上の円周に沿って等間隔を置いて配置したときの各位置の説明図である。
【図７】ファイル情報記録箇所を光ディスク１上の同一トラック上の円周に沿って等間隔を置いて配置したときの他の各位置の説明図である。
【図８】ファイル情報記録箇所を光ディスク１の内周側から外周側に向かって離れた複数のトラック上に配置したときの各位置の説明図である。
【図９】ファイル情報記録箇所を光ディスク１の内周側から外周側に向かって離れた複数のトラック上にそれぞれ円周に沿って等間隔を置いて配置したときの各位置の説明図である。
【符号の説明】
【００４２】
１：光ディスク    ２：情報記録再生装置    ３：ビデオ制御装置    ４：プログラムメモリ    ２０：スピンドルモータ    ２１：光ピックアップ    ２２：粗動モータ    ２３：回転制御系部    ２４：粗動モータ制御系部    ２５：光ピックアップ制御系部    ２６：信号処理系部    ２７：不揮発性メモリ    ２８：バッファメモリ    ２９：コントローラ    ３０：入力部    ３１：メモリカード    ３２：メモリカードコントローラ    ４０：Ａ／Ｄ変換部    ４１：Ｄ／Ａ変換部    ４２：ＡＴＡ／ＡＴＡＰＩ・Ｉ／Ｆ    ４３：エンコーダ・デコーダ    ４４：操作受信部    ４５：ＲＯＭ    ４６：ＲＡＭ    ４７：ＣＰＵ    ４８：ＲＴＣ・タイマ    ４９：外部インタフェース    ５０：メモリカードスロット    ７０〜７２，８０〜８３，９０，９１，１００〜１０３：ファイル情報記録箇所
【図１】
2006185561.tif 000003
【図２】
2006185561.tif 000004
【図３】
2006185561.tif 000005
【図４】
2006185561.tif 000006
【図５】
2006185561.tif 000007
【図６】
2006185561.tif 000008
【図７】
2006185561.tif 000009
【図８】
2006185561.tif 000010
【図９】
2006185561.tif 000011